(57)【要約】【課題】体温計用のケースにおいて、体温計の本体の寸法のばらつきがあっても、体温計を抜き挿しするときの節度感の大きさのばらつきを抑制する。【解決手段】電子体温計１００用のケース１０は、電子体温計１００が収容される収容空間１１を仕切る筒状の周壁２０を備え、周壁２０の内周面２０Ａに、収容空間１１に突出した突起３１が形成され、収容空間１１に収容された状態の電子体温計１００が、突起３１の突出方向（上方向）に変位するのを抑制する弾性片４１，４２（弾性部）が形成されている。【選択図】図６
2019124669.tif 000002
【特許請求の範囲】
【請求項１】
体温計が収容される収容空間を仕切る筒状の周壁を備え、
前記周壁の内周面に、前記収容空間に突出した突起が形成され、
前記収容空間に収容された状態の前記体温計が、前記突起の突出方向に変位するのを抑制する弾性部が形成されている体温計用のケース。
【請求項２】
前記弾性部は、前記内周面のうち、前記収容空間に収容された状態の前記体温計が前記突出方向に変位する向きに対向する面に形成されている請求項１に記載の体温計用のケース。
【請求項３】
前記弾性部は、前記突起よりも、前記収容空間のうち前記体温計の挿入方向の前方に形成されている請求項１又は２に記載の体温計用のケース。
【請求項４】
前記弾性部は、前記収容空間を、前記収容空間の中心軸と前記突起とを通る平面で分けた２つの空間にそれぞれ形成されている請求項１から３のうちいずれか１項に記載の体温計用のケース。
【請求項５】
前記弾性部は、前記体温計の挿入方向の前方の側が、前記周壁に固定された固定端、前記挿入方向の後方の側が、前記周壁から離れた自由端として形成されている弾性片である請求項１から４のうちいずれか１項に記載の体温計用のケース。
【発明の詳細な説明】
【技術分野】
【０００１】
本発明は、体温計用のケースに関する。
【背景技術】
【０００２】
電子体温計は、主に樹脂製の本体に、検温部と表示部とスイッチと電池と制御回路等とが設けられている。検温部は、被検温部位に接触させて被検温部位の温度（体温）を検出するものであり、本体の、先細く形成された一方の先端に設けられている。表示部は、検温部で検出された体温を数値等で表示するものであり、本体の、検温部とは反対側の少し太く形成された部分に設けられている。
【０００３】
スイッチは、検温部による体温の検出及び表示部による数値等の表示の動作の開始（ＯＮ）又は終了（ＯＦＦ）を切り替えるものであり、本体の、検温部とは反対側の端部や、表示部の近傍に設けられている。電池や制御回路は、スイッチのＯＮ／ＯＦＦの切り替えに対応して、検温部による動作及び表示部の動作を制御するものであり、外部から見えないように本体の内部に設けられている。
【０００４】
また、電子体温計は、検温部や表示部等を保護するために、不使用時はケースに収容される。ここで、ケースは、電子体温計の本体と同様、通常は樹脂製である。
【０００５】
ケースは、電子体温計を内部に収容する空間を有する筒状に形成されていて、検温部が設けられた先端に対応する側の端部は閉じ、他方の端部は開口している。そして、電子体温計は、ケースの開口した端部から収容空間に、検温部が設けられた先端側から挿入されて、ケースに収容される。
【０００６】
ここで、ケースを水平に寝かせた姿勢において、収容空間の下面に相当する部分には、この収容空間に突出した突起が形成されている。この突起は、収容空間に収容された電子体温計の下面に形成された凹部に嵌合することで、ケースの収容空間における電子体温計の位置決めをするとともに、電子体温計がケースから容易に脱落するのを防止している（例えば、特許文献１参照）。
【先行技術文献】
【特許文献】
【０００７】
【特許文献１】特開２００１−３１１６６７号公報
【発明の概要】
【発明が解決しようとする課題】
【０００８】
ところで、突起の高さが公差の範囲で高かったり、凹部の深さが公差の範囲で浅かったり、又は電子体温計の本体の厚さ（高さ）が公差の範囲で厚かったりすると、ケースの収容空間に挿入された電子体温計は、その突起と凹部との嵌合部分において、本来想定されている位置（設計位置）よりも高い位置となる。この結果、収容空間内で、電子体温計は水平姿勢よりも先端部が高くなった姿勢となり、先端部が、収容空間の上側を仕切る面に干渉することがある。
【０００９】
そして、先端部が干渉した状態では、干渉による摩擦力が発生して、電子体温計をケースに抜き挿しする際に、使用者に抵抗力（節度感）を感じさせる。そして、この節度感は、その公差の範囲での寸法のばらつきによって、大きく変動する。
【００１０】
また、電子体温計には、検温部と表示部との間の本体を、ゴム等の可撓性（フレキシブル）の材料で形成したものがあり、硬質の樹脂だけで本体を形成したものに比べて、使い勝手がよい。このように本体の一部が可撓性の材料で形成された電子体温計は、上述したケースに収容して先端部が収容空間の面に干渉しても、可撓性の材料で形成された部分が撓む。したがって、干渉による摩擦力が発生しても、電子体温計をケースに抜き挿しする際に使用者に与える節度感が小さい。
【００１１】
このため、全体が硬質の材料で形成された通常の電子体温計と、一部が可撓性の材料で形成された電子体温計とで、ケースを共通して使用するのも難しい。
【００１２】
本発明は上記事情に鑑みなされたもので、体温計の本体の寸法のばらつきがあっても、体温計を抜き挿しするときの節度感の大きさのばらつきを抑制することができる体温計用のケースを提供することを目的とする。
【課題を解決するための手段】
【００１３】
本発明は、体温計が収容される収容空間を仕切る筒状の周壁を備え、前記周壁の内周面に、前記収容空間に突出した突起が形成され、前記収容空間に収容された状態の前記体温計が、前記突起の突出方向に変位するのを抑制する弾性部が形成されている体温計用のケースである。
【発明の効果】
【００１４】
本発明に係る体温計用のケースによれば、体温計の本体の寸法のばらつきがあっても、体温計を抜き挿しするときの節度感の大きさのばらつきを抑制することができる。
【図面の簡単な説明】
【００１５】
【図１】本発明の一実施形態である体温計用のケース及びこのケースに抜き挿しされる体温計を示す斜視図である。
【図２】ケースの収容空間に電子体温計が完全に収容された状態を示す平面図である。
【図３】図２におけるＣ１−Ｃ１線に沿ったケースの断面（電子体温計は断面ではない）を示す断面図である。
【図４】ケース単体での図３相当の断面図である。
【図５】ケース単体での側面図である。
【図６】ケース単体での斜視図である。
【図７】図６における開口の側から収容空間を見た（矢視Ｄによる）図である。
【図８】図７におけるＣ５−Ｃ５線に沿った断面を示す断面図である。
【図９】図２におけるＣ２−Ｃ２線に沿った断面を示す断面図である。
【図１０】図２におけるＣ３−Ｃ３線に沿った断面を示す断面図である。
【図１１】図２におけるＣ４−Ｃ４線に沿った断面を示す断面図である。
【図１２】下壁に弾性片を形成した別例を示す底面図である。
【図１３】図１２に示した別例を示す、図８相当の断面図である。
【００１６】
以下、本発明に係る体温計用のケースの実施形態について、図面を用いて説明する。
【００１７】
図１は本発明の一実施形態である電子体温計１００用のケース１０及びこのケース１０に抜き挿しされる電子体温計１００を示す斜視図である。図示のケース１０は、本発明に係る体温計用のケースの一実施形態である。図示の電子体温計１００は、図１に示すように、本体１１０と、検温部１２０と、表示部１３０と、スイッチ１４０と、電池１５０と、制御回路１６０等とを備えている。
【００１８】
本体１１０は、電子体温計１００の外装となる部分であり、例えばＡＢＳ等の硬質の樹脂で形成されている。本体１１０は、一方の端部が先細に形成され、他方の端部が一方の端部よりも太い扁平に形成されている。
【００１９】
検温部１２０は、被検者の被検温部位に接触させてその被検温部位の温度（体温）を検出するものであり、本体１１０の、先端が細くなった先細状の端部に設けられている。
【００２０】
表示部１３０は、検温部１２０で検出された体温を数値等で表示するものであり、本体１１０の、検温部１２０とは反対側の端部に近い、扁平の部分に設けられている。
【００２１】
スイッチ１４０は、検温部１２０による体温の検出及び表示部１３０による数値等の表示の動作の開始（ＯＮ）又は終了（ＯＦＦ）等を切り替えるものである。スイッチ１４０は、本体１１０の、検温部１２０と表示部１３０との間で、表示部１３０に近い部位に設けられている。
【００２２】
電池１５０や制御回路１６０等は、スイッチ１４０のＯＮ／ＯＦＦの切り替えに対応して、検温部１２０による検温動作及び表示部１３０の表示動作を制御するものであり、外部から見えないように、本体１１０の内部に設けられている。
【００２３】
なお、本体１１０は、表示部１３０及びスイッチ１４０が設けられている面（上面１１１という。）と、その反対側の面（下面１１２という。）とで、異なる輪郭形状で形成されている。本体１１０の下面１１２には、凹んだ凹部１１３が形成されている。凹部１１３は、本体１１０の長手方向の略中央部分に形成されている。凹部１１３は、電子体温計１００が後述するケース１０に収容された状態で、ケース１０に形成された突起３１と係合するように、その高さ、長さ、幅や位置が設定されている。
【００２４】
図２はケース１０の収容空間１１に電子体温計１００が完全に収容された状態を示す平面図、図３は図２におけるＣ１−Ｃ１線に沿ったケース１０の断面（電子体温計１００は断面ではない）を示す断面図、図４はケース１０単体での図３相当の断面図、図５はケース１０単体での側面図である。
【００２５】
ケース１０は、電子体温計１００を内部に収容する収容空間１１を仕切る筒状の周壁２０によって形成されている。ケース１０は、図２，３に示すように、収容空間１１に電子体温計１００が収容される。周壁２０のうち上方を向いた上壁２３は、電子体温計１００の上面１１１に対応した形状で内周面２０Ａが形成され、周壁２０のうち下方を向いた下壁２４は、電子体温計１００の下面１１２に対応した形状で内周面２０Ａが形成されている。
【００２６】
したがって、上壁２３に上面１１１を対応させ、下壁２４に下面１１２を対応させた姿勢でのみ、電子体温計１００を収容空間１１に収容させることができ、上下反対の姿勢の電子体温計１００を収容空間１１に収容することはできない。このため、電子体温計１００の上面１１１に対応する上壁２３には、電子体温計１００の上面１１１に対応する上側であることを示す目印Ｍが形成されている。目印Ｍは、マークや記号の他、ロゴ等であってもよい。なお、上壁２３は、図３に示すように、収容空間１１に完全に収容された電子体温計１００の表示部１３０を覆って、表示部１３０を保護している。
【００２７】
ケース１０は、図２，３に示すように、収容空間１１に電子体温計１００が完全に収容された状態で、検温部１２０に対応する側の先端部２２は閉じている。この閉じた先端部２２には小孔２２ａが形成されている。小孔２２ａは、収容空間１１とケース１０の外部とを通じさせていて、収容された検温部１２０の周囲の湿気等を外部に逃がす機能を発揮する。
【００２８】
また、ケース１０は、図４，５に示すように、検温部１２０とは反対側の端部が外部に開放された開口２１を形成している。開口２１は、ケース１０の収容空間１１に電子体温計１００を、検温部１２０の側から、挿入方向Ｘに沿って挿入する際の入口となり、ケース１０の収容空間１１から電子体温計１００を引き出す際の出口となる。
【００２９】
図４，５に示すように、周壁２０のうち側方を向いた側壁２５，２６は、開口２１において、上壁２３及び下壁２４に比べて大きく括れて形成されている。これにより、収容空間１１に収容された電子体温計１００の、両側壁２５，２６における開口２１から露出した長さＬ２が、上壁２３及び下壁２４における開口２１から露出した長さＬ１に比べて長くなる。この結果、両側壁２５，２６の側では、上壁２３及び下壁２４の側よりも、電子体温計１００をケース１０から引き出す際の指の掛り代を大きく確保することができ、引き出しの操作を容易にしている。
【００３０】
図６はケース１０単体での斜視図であり、図７は図６における開口２１の側から収容空間１１を見た（矢視Ｄによる）図であり、図８は図７におけるＣ５−Ｃ５線に沿った断面を示す断面図である。
【００３１】
ケース１０は、図６，７に示すように、周壁２０の収容空間１１に面した内周面２０Ａの左下角部に、収容空間１１に突出し、収容空間１１に沿って延びたリブ２７が形成されている。同様に、内周面２０Ａの右下角部、左上角部、右上角部にもそれぞれ、収容空間１１に突出し、収容空間１１に沿って延びたリブ２８，２９，３０が形成されている。これらのリブ２７〜３０は、収容空間１１に完全に挿入された状態の電子体温計１００の本体１１０の表面にそれぞれ接して、電子体温計１００をがたつきなく固定する。
【００３２】
また、ケース１０は、図３，４，６，７に示すように、電子体温計１００が挿入される挿入方向Ｘに向いた（図７）ときの下壁２４の内周面２０Ａの中央部に、収容空間１１に突出した突起３１が形成されている。この突起３１は、収容空間１１に電子体温計１００が一定の位置まで収容された状態において、電子体温計１００の下面１１２に形成された凹部１１３に対向する位置に形成されている。
【００３３】
つまり、収容空間１１に電子体温計１００が一定の位置まで収容された状態では、図３に示すように、ケース１０の突起３１が電子体温計１００の凹部１１３に嵌め合わされて係合する。ケース１０の突起３１が電子体温計１００の凹部１１３に嵌め合わされて係合した状態では、電子体温計１００をケース１０に固定されて位置決めされた状態となるため、この状態が、収容空間１１に電子体温計１００が完全に収容された状態となる。また、この状態では、ケース１０の突起３１が電子体温計１００の凹部１１３に係合して電子体温計１００に係合力が作用しているため、ケース１０から電子体温計１００が容易に脱落するのを防いでいる。
【００３４】
また、ケース１０には、図６に示すように、上壁２３の内周面２０Ａの、突起３１よりも、電子体温計１００の挿入方向Ｘの前方に、弾性片４１，４２が形成されている。
【００３５】
各弾性片４１，４２は、図７に示すように、上壁２３の内周面２０Ａの、中央部から両側方にそれぞれ偏った部分に形成されている。具体的には、弾性片４１，４２は、収容空間１１を、収容空間１１の突起３１を通る図示鉛直面（収容空間１１の中心軸と突起３１とを通る平面）で左右に分けた２つの空間にそれぞれ形成されている。これら２つの弾性片４１，４２は、上述した鉛直面に対して左右対称の配置となっている。
【００３６】
また、各弾性片４１，４２は、図８に示すように、電子体温計１００の挿入方向Ｘの前方の側が、周壁２０に固定された固定端４１ａ，４２ａ、挿入方向Ｘの後方の側が、周壁２０から離れた自由端４１ｂ，４２ｂとして形成されている。
【００３７】
ここで、各弾性片４１，４２は、周壁２０に固定された固定端４１ａ，４２ａは変位しないが、自由端４１ｂ，４２ｂは収容空間１１の外方に向けた荷重を受けて周壁２０の内周面２０Ａに近づくように変位する。このとき、弾性片４１，４２には、自由端４１ｂ，４２ｂを変位前の元の位置に戻そうとする弾性力が生じ、自由端４１ｂ，４２ｂを押圧する対象物に対して、弾性力による反力を作用させる。
【００３８】
図９は図２におけるＣ２−Ｃ２線に沿った断面を示す断面図、図１０は図２におけるＣ３−Ｃ３線に沿った断面を示す断面図、図１１は図２におけるＣ４−Ｃ４線に沿った断面を示す断面図である。
【００３９】
電子体温計１００は、ケース１０の収容空間１１に完全に収容された状態では、開口２１の付近においては、図９に示すように、本体１１０の外周面がケース１０のリブ２７〜３０に接して、がたつきが無い状態となる。また、突起３１が形成された部分においては、図１０に示すように、本体１１０の凹部１１３がケース１０の突起３１に嵌め合わされている。
【００４０】
ここで、ケース１０の下壁２４に形成された突起３１の高さが、仮に公差の範囲であっても高かったり、電子体温計１００の下面１１２に形成された凹部１１３の深さが、仮に公差の範囲であっても浅かったり、又は電子体温計１００の本体１１０の厚さ（高さ）が、仮に公差の範囲であっても厚かったりすると、嵌め合わせの相手の寸法との関係で、突起３１と凹部１１３との嵌め合わせの部分において、電子体温計１００は、本来想定されている位置（設計位置）よりも高い位置となる。
【００４１】
この結果、収容空間１１内での電子体温計１００は、本来想定されている水平姿勢よりも先端側（検温部１２０が形成された側）が高くなった姿勢となる。これにより、検温部１２０が設けられた先端が、本来想定されている配置よりも高い位置となり、検温部１２０が収容空間１１の上側の面（上壁２３の内周面２０Ａ）に干渉し得る。そして、検温部１２０が干渉した状態では、干渉による摩擦力が発生して、電子体温計１００をケース１０に抜き挿しする際に、使用者に抵抗力（節度感）を感じさせる。そして、この節度感は、検温部１２０の干渉の程度によって、大きく変動するおそれがある。
【００４２】
しかし、本実施形態のケース１０は、電子体温計１００が、突起３１の突出方向である上方向きに変位するのを抑制する弾性片４１，４２が形成されている。この弾性片４１，４２は、図１１に示すように、その自由端４１ｂ，４２ｂが電子体温計１００の本体１１０の上面１１１（特に、スイッチ１４０よりも挿入方向Ｘの前方の傾斜した部分）に接する。
【００４３】
そして、電子体温計１００が、上述した検温部１２０を上方向きとする前上がり姿勢になろうとしても、弾性片４１，４２が、その前上がり姿勢となるときの本体１１０の変位に応じた下方向きの弾性力を、本体１１０に付与する。この結果、ケース１０は、電子体温計１００が前上がり姿勢になるのを防止又は抑制する。
【００４４】
つまり、弾性片４１，４２は、ケース１０に収容された電子体温計１００の前上がり姿勢の程度が大きいほど、電子体温計１００に対して付与する下方向きの弾性力を増大させて、前上がり姿勢になるのを抑制させる。
【００４５】
したがって、本実施形態のケース１０は、ケース１０の下壁２４に形成された突起３１の高さが、仮に公差の範囲であっても高かったり、電子体温計１００の下面１１２に形成された凹部１１３の深さが、仮に公差の範囲であっても浅かったり、又は電子体温計１００の本体１１０の厚さ（高さ）が、仮に公差の範囲であっても厚かったりするなどの寸法のばらつきがあっても、検温部１２０と収容空間１１の上側の面（上壁２３の内周面２０Ａ）との干渉による摩擦力が低減する。
【００４６】
これにより、本実施形態のケース１０は、電子体温計１００をケース１０に抜き挿しする際に、使用者に感じさせる抵抗力（節度感）のばらつきを防止又は抑制することができる。
【００４７】
なお、電子体温計１００には、検温部１２０と表示部１３０との間の本体１１０を、ゴム等の可撓性（フレキシブル）の材料で形成したものがあり、硬質の樹脂だけで本体１１０を形成したものに比べて、使い勝手がよい。このように本体１１０の一部が可撓性の材料で形成された電子体温計１００は、上述したケース１０に収容して先端の検温部１２０が収容空間１１の上壁２３の内周面２０Ａに干渉しても、可撓性の材料で形成された部分が撓む。
【００４８】
したがって、本体１１０の全体が硬質の樹脂で形成された通常の電子体温計１００と、本体１１０の一部が可撓性の材料で形成された電子体温計１００とで、ケース１０を共通して使用しても、節度感に大きな差異が発生しない。また、本実施形態のケース１０は、本体１１０の全体が硬質の樹脂で形成された通常の電子体温計１００と、本体１１０の一部が可撓性の材料で形成された電子体温計１００とで、節度感の差異を抑制して共用することができる。
【００４９】
本実施形態のケース１０は、弾性片４１，４２の自由端４１ｂ，４２ｂだけが電子体温計１００の本体１１０の上面１１１に接するため、弾性片４１，４２が面で上面１１１に接する場合に比べて、上面に摺動痕が生じにくい。
【００５０】
本実施形態のケース１０は、弾性片４１，４２が、内周面２０Ａのうち、収容空間１１に収容された状態の電子体温計１００が突起３１の突出方向（上方向）に変位する向きに対向する面（上壁２３の内周面２０Ａ）に形成されているため、上方向に変位しようとする電子体温計１００を下方向に変位させる荷重（弾性力）を付与するのに適している。
【００５１】
本実施形態のケース１０は、弾性片４１，４２が、突起３１よりも挿入方向Ｘの前方に形成されているため、突起３１と凹部１１３とが嵌め合わされる部分において、本来の想定された位置（設計的に設定された位置）よりも高い配置となることで、電子体温計１００が前上がりの姿勢になる場合、電子体温計１００は、突起３１よりも前方の部分が上方向に変位しようとする。したがって、弾性片４１，４２が突起よりも前方に形成されていることにより、電子体温計１００が前上がりの姿勢になろうとするのを効果的に抑制することができる。
【００５２】
本実施形態のケース１０は、２つの弾性片４１，４２が、上壁２３の内周面２０Ａの、中央部から両側方にそれぞれ偏った部分に形成されているため、突起３１によって上方に変位しようとする電子体温計１００を、突起３１の真上から１つの弾性片で下方向に弾性力を付与するものに比べて、電子体温計１００を左右方向から均等に弾性力を付与することができる。したがって、電子体温計１００が左右方向のいずれかに偏って変位するのを防止又は抑制することができる。
【００５３】
また、各弾性片４１，４２は、図８に示すように、電子体温計１００の挿入方向Ｘの前方の側が、周壁２０に固定された固定端４１ａ，４２ａ、挿入方向Ｘの後方の側が、周壁２０から離れた自由端４１ｂ，４２ｂ、として形成されている。つまり、周壁２０の内周面２０Ａから離れた自由端４１ｂ，４２ｂが開口２１に近い側に形成され、周壁２０に繋がった固定端４１ａ，４２ａが開口２１から遠い側に形成されている。
【００５４】
これにより、ケース１０を型によって成型する場合、開口２１の側に引き抜かれる、収容空間１１を成型するコア（雄型）に、弾性片４１，４２を成型するための形状を形成することができ、コアとは別に、弾性片４１，４２を成型するための型を用いる場合に比べて、製造コストを低減することができる。
【００５５】
図１２は下壁２４に弾性片５０を形成した別例を示す底面図、図１３は図１２に示した別例を示す、図８相当の断面図である。上述した実施形態のケース１０は、２つの弾性片４１，４２が、上壁２３の内周面２０Ａに形成されているが、本発明に係る体温計用のケースは、弾性片４１，４２の形成されている部位として上壁２３の内周面２０Ａに限定するものではない。
【００５６】
すなわち、ケース１０は、例えば図１２，１３に示すように、突起３１が形成された下壁２４に、弾性片４１，４２に相当する弾性片５０を形成してもよい。この場合、下壁２４における突起３１の周囲部分のうち、挿入方向Ｘの前方の部分を、下壁２４に繋がったままの固定端５０ａとし、その他の周囲に切り込み５１（全体としてＵ字形状）を形成することで、突起３１の、挿入方向Ｘの後方の部分を自由端５０ｂとした弾性片５０を形成する。
【００５７】
このように形成された弾性片５０は、収容空間１１に収容された状態の電子体温計１００が、突起３１の高さのばらつきや凹部１１３の深さのばらつきや本体１１０の厚さのばらつきなどによって、突起３１の突出方向に変位しようとしても、その反力によって、弾性片５０が突起３１を下方Ｕに変位させるように弾性変形し、電子体温計１００が、突起３１の突出方向に変位するのを抑制することができる。したがって、この例によっても、本実施形態のケース１０は、電子体温計１００をケース１０に抜き挿しする際に、使用者に感じさせる抵抗力（節度感）のばらつきを防止又は抑制することができる。
【００５８】
上述した実施形態のケース１０は、収容空間１１に収容された状態の電子体温計１００が、突起３１の突出方向に変位するのを抑制する弾性部として、舌片状の弾性片４１，４２，５０を適用したが、弾性部としては、舌片状の形態のものに限定されるものではなく、電子体温計１００が突起３１の突出方向に変位するのを抑制する弾性部であれば如何なる形態のものであってもよい。
【００５９】
また、本実施形態のケース１０は、電子体温計１００を内部に収容するものであるが、本発明に係る体温計用のケースは、収容する体温計の種類として電子体温計に限定するものではなく、他の種類の体温計であってもよい。
【符号の説明】
【００６０】
１０    ケース
１１    収容空間
２０    周壁
２０Ａ  内周面
２１    開口
２３    上壁
２４    下壁
３１    突起
４１，４２    弾性片
１００  電子体温計
１１０  本体
１１３  凹部
Ｘ      挿入方向
【図１】
2019124669.tif 000003
【図２】
2019124669.tif 000004
【図３】
2019124669.tif 000005
【図４】
2019124669.tif 000006
【図５】
2019124669.tif 000007
【図６】
2019124669.tif 000008
【図７】
2019124669.tif 000009
【図８】
2019124669.tif 000010
【図９】
2019124669.tif 000011
【図１０】
2019124669.tif 000012
【図１１】
2019124669.tif 000013
【図１２】
2019124669.tif 000014
【図１３】
2019124669.tif 000015